(57)【要約】【課題】放電灯の累積点灯時間が大きくなった場合であっても黒化が生じることを抑制できるプロジェクターを提供する。【解決手段】本発明のプロジェクターの一つの態様は、光を射出する発光部を有する放電灯と、放電灯からの光を画像情報に応じて変調する光変調装置と、光変調装置により変調された光を投射する投射光学装置と、放電灯を冷却する冷却部と、冷却部を制御する制御部と、を備え、冷却部は、発光部における鉛直方向下側の下部を冷却可能であり、制御部は、放電灯の累積点灯時間が第１所定時間よりも大きい場合、下部に対する冷却レベルを、放電灯に供給される駆動電力に応じて下部に対して設定されている第１設定値よりも小さくすることを特徴とする。【選択図】図７
2017187623.tif 000002
【特許請求の範囲】
【請求項１】
光を射出する発光部を有する放電灯と、
前記放電灯からの光を画像情報に応じて変調する光変調装置と、
前記光変調装置により変調された光を投射する投射光学装置と、
前記放電灯を冷却する冷却部と、
前記冷却部を制御する制御部と、を備え、
前記冷却部は、前記発光部における鉛直方向下側の下部を冷却可能であり、
前記制御部は、前記放電灯の累積点灯時間が第１所定時間よりも大きい場合、前記下部
に対する冷却レベルを、前記放電灯に供給される駆動電力に応じて前記下部に対して設定
されている第１設定値よりも小さくすることを特徴とするプロジェクター。
【請求項２】
前記冷却部は、前記発光部における鉛直方向上側の上部を冷却可能であり、
前記制御部は、前記累積点灯時間が前記第１所定時間よりも大きい場合、前記上部に対
する冷却レベルを、前記駆動電力に応じて前記上部に対して設定されている第２設定値よ
りも大きくする、請求項１に記載のプロジェクター。
【請求項３】
前記制御部は、前記累積点灯時間が前記第１所定時間よりも大きい場合、前記発光部に
おける鉛直方向上側の上部の温度と前記下部の温度との差が所定範囲内となるように、前
記冷却部を制御する、請求項２に記載のプロジェクター。
【請求項４】
前記制御部は、前記累積点灯時間が前記第１所定時間よりも大きい場合、前記累積点灯
時間が大きくなるのに従って、前記下部に対する冷却レベルを小さくする、請求項１から
３のいずれか一項に記載のプロジェクター。
【請求項５】
前記制御部は、前記累積点灯時間が前記第１所定時間より大きい第２所定時間よりも大
きい場合、前記下部に対する冷却を停止する、請求項４に記載のプロジェクター。
【請求項６】
前記冷却部は、
前記発光部における鉛直方向上側の上部を冷却可能であり、かつ、
前記下部に対する冷却レベルと、前記上部に対する冷却レベルと、をそれぞれ独立に変
更可能である、請求項１から５のいずれか一項に記載のプロジェクター。
【請求項７】
光を射出する発光部を有する放電灯と、前記放電灯を冷却する冷却部と、を備えるプロ
ジェクターの制御方法であって、
前記発光部の鉛直方向下側の下部を冷却することと、
前記放電灯の累積点灯時間が第１所定時間よりも大きい場合、前記下部に対する冷却レ
ベルを、前記放電灯に供給される駆動電力に応じて前記下部に対して設定されている第１
設定値よりも小さくすることと、
を含むことを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、放電ランプを備えた画像表示装置が知られている（例えば、特許文献１参照）。
【先行技術文献】
【特許文献】
【０００３】
【特許文献１】特開２００３−２９５３２０号公報
【発明の概要】
【発明が解決しようとする課題】
【０００４】
ところで、上述したような放電ランプ内には、例えば、ハロゲンガスが封入されており
、放電ランプ内でハロゲンサイクルを生じさせることで放電ランプの黒化を抑制している
場合がある。ハロゲンサイクルとは、溶融し蒸発した電極物質と放電ランプ内に封入され
たハロゲンガスとを反応させることで、電極物質をハロゲン化させ、蒸発した電極物質を
放電ランプ内の対流によって再び電極へと戻す、反応サイクルである。ハロゲン化された
電極物質は、融点が降下するため、発光管内壁において凝固することが抑制され、結果と
して黒化が抑制される。
【０００５】
ここで、ハロゲンサイクルにおける蒸発した電極物質とハロゲンガスとの反応率は、活
性化したハロゲンガスの量に応じて変化する。活性化したハロゲンガスの量が多いほど、
ハロゲンサイクルにおける蒸発した電極物質とハロゲンガスとの反応率は大きくなる。
【０００６】
放電ランプ内におけるハロゲンガスの量は、放電ランプの累積点灯時間が大きくなるほ
ど減少する。これは、ハロゲンガスが放電ランプ内に封入される他の物質（例えば、水銀
）と反応し、放電ランプ内に化合物として蓄積されるためである。そのため、放電ランプ
の累積点灯時間が大きくなると、ハロゲンガスの量が減少し、活性化したハロゲンガスの
量も減少する。したがって、累積点灯時間が大きくなると、ハロゲンサイクルの反応率が
低下して、黒化が生じやすくなる問題があった。
【０００７】
本発明の一つの態様は、上記問題点に鑑みて成されたものであって、放電灯の累積点灯
時間が大きくなった場合であっても黒化が生じることを抑制できるプロジェクターを提供
することを目的の一つとする。また、本発明の一つの態様は、放電灯の累積点灯時間が大
きくなった場合であっても黒化が生じることを抑制できるプロジェクターの制御方法を提
供することを目的の一つとする。
【課題を解決するための手段】
【０００８】
本発明のプロジェクターの一つの態様は、光を射出する発光部を有する放電灯と、前記
放電灯からの光を画像情報に応じて変調する光変調装置と、前記光変調装置により変調さ
れた光を投射する投射光学装置と、前記放電灯を冷却する冷却部と、前記冷却部を制御す
る制御部と、を備え、前記冷却部は、前記発光部における鉛直方向下側の下部を冷却可能
であり、前記制御部は、前記放電灯の累積点灯時間が第１所定時間よりも大きい場合、前
記下部に対する冷却レベルを、前記放電灯に供給される駆動電力に応じて前記下部に対し
て設定されている第１設定値よりも小さくすることを特徴とする。
【０００９】
本発明のプロジェクターの一つの態様によれば、制御部は、累積点灯時間が第１所定時
間よりも大きい場合に、発光部の下部に対する冷却レベルを、第１設定値よりも小さくす
る。そのため、累積点灯時間が第１所定時間よりも大きい場合に、発光部の下部の温度を
上昇させることができる。発光部の下部の温度が上昇すると、放電灯内の活性化したハロ
ゲンの量が多くなり、ハロゲンサイクルの反応率を上昇できる。したがって、本発明のプ
ロジェクターの一つの態様によれば、累積点灯時間が大きくなった場合に、ハロゲンサイ
クルの反応率が低下することを抑制でき、結果として黒化が生じることを抑制できる。
【００１０】
前記冷却部は、前記発光部における鉛直方向上側の上部を冷却可能であり、前記制御部
は、前記累積点灯時間が前記第１所定時間よりも大きい場合、前記上部に対する冷却レベ
ルを、前記駆動電力に応じて前記上部に対して設定されている第２設定値よりも大きくす
る構成としてもよい。
この構成によれば、累積点灯時間が大きくなった場合に、発光部の上部の温度が過剰に
大きくなることを抑制でき、失透が生じることを抑制できる。
【００１１】
前記制御部は、前記累積点灯時間が前記第１所定時間よりも大きい場合、前記発光部に
おける鉛直方向上側の上部の温度と前記下部の温度との差が所定範囲内となるように、前
記冷却部を制御する構成としてもよい。
この構成によれば、累積点灯時間が大きくなった場合に、発光部の下部の温度を好適に
大きくしつつ、発光部の上部の温度を好適に小さくできる。これにより、黒化および失透
が生じることを好適に抑制できる。
【００１２】
前記制御部は、前記累積点灯時間が前記第１所定時間よりも大きい場合、前記累積点灯
時間が大きくなるのに従って、前記下部に対する冷却レベルを小さくする構成としてもよ
い。
この構成によれば、黒化が生じることをより抑制できる。
【００１３】
前記制御部は、前記累積点灯時間が前記第１所定時間より大きい第２所定時間よりも大
きい場合、前記下部に対する冷却を停止する構成としてもよい。
この構成によれば、黒化が生じることをより抑制できる。
【００１４】
前記冷却部は、前記発光部における鉛直方向上側の上部を冷却可能であり、かつ、前記
下部に対する冷却レベルと、前記上部に対する冷却レベルと、をそれぞれ独立に変更可能
である構成としてもよい。
この構成によれば、発光部の上部に対する冷却レベルを変えずに、発光部の下部に対す
る冷却レベルを調整できる。そのため、発光部の上部の温度を一定に維持して失透が生じ
ることを抑制しつつ、発光部下部の温度を上昇させて黒化が生じることを抑制できる。
【００１５】
本発明のプロジェクターの制御方法の一つの態様は、光を射出する発光部を有する放電
灯と、前記放電灯を冷却する冷却部と、を備えるプロジェクターの制御方法であって、前
記発光部の鉛直方向下側の下部を冷却することと、前記放電灯の累積点灯時間が第１所定
時間よりも大きい場合、前記下部に対する冷却レベルを、前記放電灯に供給される駆動電
力に応じて前記下部に対して設定されている第１設定値よりも小さくすることと、を含む
ことを特徴とする。
【００１６】
本発明のプロジェクターの制御方法の一つの態様によれば、上述したのと同様にして、
放電灯の累積点灯時間が大きくなった場合であっても黒化が生じることを抑制できる。
【図面の簡単な説明】
【００１７】
【図１】第１実施形態のプロジェクターの概略構成図である。
【図２】第１実施形態の光源装置の構成を示す断面図である。
【図３】第１実施形態の放電灯の部分拡大断面図である。
【図４】第１実施形態の放電灯点灯装置および制御装置の回路図である。
【図５】第１実施形態の制御装置の一構成例を示すブロック図である。
【図６】第１実施形態のプロジェクターの各種構成要素を示すブロック図である。
【図７】第１実施形態における累積点灯時間に対する第１ファン電圧の変化を示すグラフである。
【図８】累積点灯時間に対する活性化ハロゲン量の変化を示すグラフである。
【図９】第２実施形態における累積点灯時間に対する第２ファン電圧の変化を示すグラフである。
【発明を実施するための形態】
【００１８】
以下、図面を参照しながら、本発明の実施形態に係るプロジェクターについて説明する
。
なお、本発明の範囲は、以下の実施の形態に限定されるものではなく、本発明の技術的
思想の範囲内で任意に変更可能である。また、以下の図面においては、各構成をわかりや
すくするために、実際の構造と各構造における縮尺や数等を異ならせる場合がある。
【００１９】
また、適宜図面においては、適宜３次元直交座標系としてＸＹＺ座標系を示す。ＸＹＺ
座標系において、Ｚ軸方向は、鉛直方向とする。Ｙ軸方向およびＸ軸方向は、Ｚ軸方向と
直交する水平方向であり、互いに直交する方向とする。また、以下の説明においては、Ｚ
軸方向の正の側（＋Ｚ側）を鉛直方向上側と呼ぶ場合があり、Ｚ軸方向の負の側（−Ｚ側
）を鉛直方向下側と呼ぶ場合がある。
【００２０】
＜第１実施形態＞
図１は、本実施形態のプロジェクター５００の概略構成図である。プロジェクター５０
０は、横長の画像および縦長の画像を投射可能なプロジェクターである。図１に示すよう
に、本実施形態のプロジェクター５００は、光源装置２００と、平行化レンズ３０５と、
照明光学系３１０と、色分離光学系３２０と、３つの液晶ライトバルブ（光変調装置）３
３０Ｒ，３３０Ｇ，３３０Ｂと、クロスダイクロイックプリズム３４０と、投射光学系（
投射光学装置）３５０と、を備える。
【００２１】
光源装置２００から射出された光は、平行化レンズ３０５を通過して照明光学系３１０
に入射する。平行化レンズ３０５は、光源装置２００からの光を平行化する。
【００２２】
照明光学系３１０は、光源装置２００から射出される光の照度を、液晶ライトバルブ３
３０Ｒ，３３０Ｇ，３３０Ｂ上において均一化するように調整する。さらに、照明光学系
３１０は、光源装置２００から射出される光の偏光方向を一方向に揃える。その理由は、
光源装置２００から射出される光を液晶ライトバルブ３３０Ｒ，３３０Ｇ，３３０Ｂで有
効に利用するためである。
【００２３】
照度分布と偏光方向とが調整された光は、色分離光学系３２０に入射する。色分離光学
系３２０は、入射光を赤色光（Ｒ）、緑色光（Ｇ）、青色光（Ｂ）の３つの色光に分離す
る。３つの色光は、各色光に対応付けられた液晶ライトバルブ３３０Ｒ，３３０Ｇ，３３
０Ｂにより、映像信号（画像情報）に応じてそれぞれ変調される。すなわち、液晶ライト
バルブ３３０Ｒ，３３０Ｇ，３３０Ｂは、放電灯９０から射出される光を画像情報に応じ
て変調する。液晶ライトバルブ３３０Ｒ，３３０Ｇ，３３０Ｂは、後述する液晶パネル５
６０Ｒ，５６０Ｇ，５６０Ｂと、偏光板（図示せず）と、を有する。偏光板は、液晶パネ
ル５６０Ｒ，５６０Ｇ，５６０Ｂのそれぞれの光入射側および光射出側に配置される。
【００２４】
変調された３つの色光は、クロスダイクロイックプリズム３４０により合成される。合
成光は投射光学系３５０に入射する。投射光学系３５０は、入射光をスクリーン７００（
図６参照）に投射する。すなわち、投射光学系３５０は、液晶ライトバルブ３３０Ｒ，３
３０Ｇ，３３０Ｂにより変調された光を投射する。これにより、スクリーン７００上に映
像が表示される。なお、平行化レンズ３０５、照明光学系３１０、色分離光学系３２０、
クロスダイクロイックプリズム３４０、投射光学系３５０の各々の構成としては、周知の
構成を採用することができる。
【００２５】
光源装置２００は、光源ユニット２１０と、放電灯点灯装置１０と、制御装置（制御部
）４０と、冷却装置（冷却部）５０と、を有する。
図２は、光源装置２００の構成を示す断面図である。図２には、光源ユニット２１０の
断面図が示されている。図２においては、制御装置４０と冷却装置５０との図示を省略し
ている。
【００２６】
光源ユニット２１０は、図２に示すように、放電灯９０と、主反射鏡（反射鏡）１１２
と、副反射鏡１１３と、を有する。放電灯９０は、光を射出する。放電灯点灯装置１０は
、放電灯９０に駆動電流Ｉを供給して放電灯９０を点灯させる。主反射鏡１１２は、放電
灯９０から射出された光を照射方向（所定方向）Ｄに向けて反射する。照射方向Ｄは、放
電灯９０の光軸ＡＸと平行である。
【００２７】
放電灯９０は、放電灯本体（発光部）５１０と、第１電極９２および第２電極９３と、
を有する。放電灯本体５１０の形状は、照射方向Ｄに沿って延びる棒状である。放電灯本
体５１０の一方の端部、すなわち、放電灯９０の一方の端部を第１端部９０ｅ１とする。
放電灯本体５１０の他方の端部、すなわち、放電灯９０の他方の端部を第２端部９０ｅ２
とする。放電灯本体５１０の材料は、例えば、石英ガラス等の透光性材料である。放電灯
本体５１０の中央部は球状に膨らんでおり、その内部は放電空間９１である。放電空間９
１には、ハロゲン、水銀、希ガス、金属ハロゲン化合物等を含む放電媒体であるガスが封
入されている。ハロゲンは、例えば、臭素Ｂｒを含む。
【００２８】
放電空間９１には、第１電極９２および第２電極９３の先端が突出している。第１電極
９２は、放電空間９１の第１端部９０ｅ１側に配置されている。第２電極９３は、放電空
間９１の第２端部９０ｅ２側に配置されている。第１電極９２および第２電極９３の形状
は、光軸ＡＸに沿って延びる棒状である。放電空間９１には、第１電極９２および第２電
極９３の電極先端部が、所定距離だけ離れて対向するように配置されている。第１電極９
２および第２電極９３の材料は、例えば、タングステン等の金属である。
【００２９】
放電灯本体５１０は、下壁部（下部）５１０ａおよび上壁部（上部）５１０ｂを有する
。下壁部５１０ａは、放電灯本体５１０における鉛直方向下側の下部である。上壁部５１
０ｂは、放電灯本体５１０における鉛直方向上側の上部である。本実施形態において、下
壁部５１０ａおよび上壁部５１０ｂは、放電空間９１に対して、第１電極９２および第２
電極９３が並ぶ方向と直交する方向に配置される壁部である。下壁部５１０ａは、放電空
間９１の鉛直方向下側に位置する壁部であり、上壁部５１０ｂは、放電空間９１の鉛直方
向上側に位置する壁部である。
【００３０】
図３は、放電灯９０の部分を示す拡大断面図である。
第１電極９２は、図３に示すように、芯棒５３３と、コイル部５３２と、本体部５３１
と、突起５３１ｐと、を有する。第１電極９２は、放電灯本体５１０への封入前の段階に
おいて、芯棒５３３に電極材（タングステン等）の線材を巻き付けてコイル部５３２を形
成し、形成されたコイル部５３２を加熱・溶融することにより形成される。これにより、
第１電極９２の先端側には、熱容量が大きい本体部５３１と、アークＡＲの発生位置とな
る突起５３１ｐが形成される。
【００３１】
第２電極９３は、芯棒５４３と、コイル部５４２と、本体部５４１と、突起５４１ｐと
、を有する。第２電極９３は、第１電極９２と同様にして形成される。
なお、第１電極９２と第２電極９３とは、同様の構成であるため、以下の説明において
は、代表して第１電極９２についてのみ説明する場合がある。また、第１電極９２の先端
の突起５３１ｐと第２電極９３の先端の突起５４１ｐとは、同様の構成であるため、以下
の説明においては、代表して突起５３１ｐについてのみ説明する場合がある。
【００３２】
図２に示すように、放電灯９０の第１端部９０ｅ１には、第１端子５３６が設けられて
いる。第１端子５３６と第１電極９２とは、放電灯９０の内部を貫通する導電性部材５３
４により電気的に接続されている。同様に、放電灯９０の第２端部９０ｅ２には、第２端
子５４６が設けられている。第２端子５４６と第２電極９３とは、放電灯９０の内部を貫
通する導電性部材５４４により電気的に接続されている。第１端子５３６および第２端子
５４６の材料は、例えば、タングステン等の金属である。導電性部材５３４，５４４の材
料としては、例えば、モリブデン箔が利用される。
【００３３】
第１端子５３６および第２端子５４６は、放電灯点灯装置１０に接続されている。放電
灯点灯装置１０は、第１端子５３６および第２端子５４６に、放電灯９０を駆動するため
の駆動電力を供給する。その結果、第１電極９２および第２電極９３の間でアーク放電が
起きる。アーク放電により発生した光（放電光）は、破線の矢印で示すように、放電位置
から全方向に向かって放射される。
【００３４】
図３に示すように、放電灯９０を点灯すると、放電空間９１内に封入されたガスは、ア
ークＡＲの発生により加熱され、放電空間９１内において対流する。詳細には、アークＡ
Ｒおよびその付近の領域は極めて高温となるため、放電空間９１内において、アークＡＲ
から鉛直方向上側に流れる対流ＡＦ（図３に一点鎖線の矢印で示す）が形成される。対流
ＡＦは、放電灯本体５１０の内壁に当たって放電灯本体５１０の内壁に沿って移動し、第
１電極９２および第２電極９３の芯棒５３３，５４３等を通過することによって冷却され
つつ降下する。
【００３５】
降下した対流ＡＦは、放電灯本体５１０の内壁に沿って更に降下するが、アークＡＲの
鉛直方向下側で互いに衝突して上方のアークＡＲに戻されるように上昇する。対流ＡＦが
、放電灯本体５１０の内壁を沿って移動することによって、放電灯本体５１０は加熱され
る。ここで、対流ＡＦは、アークＡＲの鉛直方向上側において最も温度が高く、アークＡ
Ｒの鉛直方向下側において最も温度が低い。そのため、アークＡＲの鉛直方向上側におい
て対流ＡＦと接触する放電灯本体５１０の上壁部５１０ｂが、放電灯本体５１０（放電灯
９０）において最も高温となる最熱部となる。また、アークＡＲの鉛直方向下側において
対流ＡＦと接触する放電灯本体５１０の下壁部５１０ａが、放電灯本体５１０（放電灯９
０）において最も低温となる最冷部となる。
【００３６】
主反射鏡１１２は、図２に示すように、固定部材１１４により、放電灯９０の第１端部
９０ｅ１に固定されている。主反射鏡１１２は、放電光のうち、照射方向Ｄと反対側に向
かって進む光を照射方向Ｄに向かって反射する。主反射鏡１１２の反射面（放電灯９０側
の面）の形状は、放電光を照射方向Ｄに向かって反射できる範囲内において、特に限定さ
れず、例えば、回転楕円形状であっても、回転放物線形状であってもよい。例えば、主反
射鏡１１２の反射面の形状を回転放物線形状とした場合、主反射鏡１１２は、放電光を光
軸ＡＸに略平行な光に変換することができる。これにより、平行化レンズ３０５を省略す
ることができる。
【００３７】
副反射鏡１１３は、固定部材５２２により、放電灯９０の第２端部９０ｅ２側に固定さ
れている。副反射鏡１１３の反射面（放電灯９０側の面）の形状は、放電空間９１の第２
端部９０ｅ２側の部分を囲む球面形状である。副反射鏡１１３は、放電光のうち、主反射
鏡１１２が配置された側と反対側に向かって進む光を主反射鏡１１２に向かって反射する
。これにより、放電空間９１から放射される光の利用効率を高めることができる。
【００３８】
固定部材１１４，５２２の材料は、放電灯９０からの発熱に耐え得る耐熱材料である範
囲内において、特に限定されず、例えば、無機接着剤である。
【００３９】
図４は、放電灯点灯装置１０および制御装置４０の回路構成の一例を示す図である。
放電灯点灯装置１０は、図４に示すように、電力制御回路２０と、極性反転回路３０と
、動作検出部６０と、イグナイター回路７０と、を有する。
【００４０】
電力制御回路２０は、放電灯９０に供給する駆動電力を生成する。本実施形態において
は、電力制御回路２０は、直流電源装置８０からの電圧を入力とし、入力電圧を降圧して
直流電流Ｉｄを出力するダウンチョッパー回路で構成されている。
【００４１】
電力制御回路２０は、スイッチ素子２１、ダイオード２２、コイル２３およびコンデン
サー２４を含んで構成される。スイッチ素子２１は、例えば、トランジスターで構成され
る。本実施形態においては、スイッチ素子２１の一端は直流電源装置８０の正電圧側に接
続され、他端はダイオード２２のカソード端子およびコイル２３の一端に接続されている
。
【００４２】
コイル２３の他端にコンデンサー２４の一端が接続され、コンデンサー２４の他端はダ
イオード２２のアノード端子および直流電源装置８０の負電圧側に接続されている。スイ
ッチ素子２１の制御端子には、制御装置４０から電流制御信号が入力されてスイッチ素子
２１のＯＮ／ＯＦＦが制御される。電流制御信号には、例えば、ＰＷＭ（Ｐｕｌｓｅ  Ｗ
ｉｄｔｈ  Ｍｏｄｕｌａｔｉｏｎ）制御信号が用いられてもよい。
【００４３】
スイッチ素子２１がＯＮすると、コイル２３に電流が流れ、コイル２３にエネルギーが
蓄えられる。その後、スイッチ素子２１がＯＦＦすると、コイル２３に蓄えられたエネル
ギーがコンデンサー２４とダイオード２２とを通る経路で放出される。その結果、スイッ
チ素子２１がＯＮする時間の割合に応じた直流電流Ｉｄが発生する。
【００４４】
極性反転回路３０は、電力制御回路２０から入力される直流電流Ｉｄを所定のタイミン
グで極性反転させる。これにより、極性反転回路３０は、制御された時間だけ継続する直
流である駆動電流Ｉ、もしくは、任意の周波数を持つ交流である駆動電流Ｉを生成し、出
力する。本実施形態において、極性反転回路３０は、インバーターブリッジ回路（フルブ
リッジ回路）で構成されている。
【００４５】
極性反転回路３０は、例えば、トランジスターなどで構成される第１のスイッチ素子３
１、第２のスイッチ素子３２、第３のスイッチ素子３３、および第４のスイッチ素子３４
を含んでいる。極性反転回路３０は、直列接続された第１のスイッチ素子３１および第２
のスイッチ素子３２と、直列接続された第３のスイッチ素子３３および第４のスイッチ素
子３４と、が互いに並列接続された構成を有する。第１のスイッチ素子３１、第２のスイ
ッチ素子３２、第３のスイッチ素子３３、および第４のスイッチ素子３４の制御端子には
、それぞれ制御装置４０から極性反転制御信号が入力される。この極性反転制御信号に基
づいて、第１のスイッチ素子３１、第２のスイッチ素子３２、第３のスイッチ素子３３お
よび第４のスイッチ素子３４のＯＮ／ＯＦＦ動作が制御される。
【００４６】
極性反転回路３０においては、第１のスイッチ素子３１および第４のスイッチ素子３４
と、第２のスイッチ素子３２および第３のスイッチ素子３３と、を交互にＯＮ／ＯＦＦさ
せる動作が繰り返される。これにより、電力制御回路２０から出力される直流電流Ｉｄの
極性が交互に反転する。極性反転回路３０は、第１のスイッチ素子３１と第２のスイッチ
素子３２との共通接続点、および第３のスイッチ素子３３と第４のスイッチ素子３４との
共通接続点から、制御された時間だけ同一極性状態を継続する直流である駆動電流Ｉ、も
しくは制御された周波数をもつ交流である駆動電流Ｉを生成し、出力する。
【００４７】
すなわち、極性反転回路３０は、第１のスイッチ素子３１および第４のスイッチ素子３
４がＯＮのときには第２のスイッチ素子３２および第３のスイッチ素子３３がＯＦＦであ
り、第１のスイッチ素子３１および第４のスイッチ素子３４がＯＦＦのときには第２のス
イッチ素子３２および第３のスイッチ素子３３がＯＮであるように制御される。したがっ
て、第１のスイッチ素子３１および第４のスイッチ素子３４がＯＮのときには、コンデン
サー２４の一端から第１のスイッチ素子３１、放電灯９０、第４のスイッチ素子３４の順
に流れる駆動電流Ｉが発生する。第２のスイッチ素子３２および第３のスイッチ素子３３
がＯＮのときには、コンデンサー２４の一端から第３のスイッチ素子３３、放電灯９０、
第２のスイッチ素子３２の順に流れる駆動電流Ｉが発生する。
【００４８】
本実施形態において、電力制御回路２０と極性反転回路３０とを合わせた部分が放電灯
駆動部２３０に対応する。すなわち、放電灯駆動部２３０は、放電灯９０を駆動する駆動
電流Ｉを放電灯９０に供給する。
【００４９】
動作検出部６０は、放電灯９０のランプ電圧を検出して制御装置４０にランプ電圧情報
を出力する電圧検出部を含む。また、動作検出部６０は、駆動電流Ｉを検出して制御装置
４０に駆動電流情報を出力する電流検出部などを含む。本実施形態においては、動作検出
部６０は、第１の抵抗６１、第２の抵抗６２および第３の抵抗６３を含んで構成されてい
る。
【００５０】
本実施形態において、動作検出部６０の電圧検出部は、放電灯９０と並列に、互いに直
列接続された第１の抵抗６１および第２の抵抗６２で分圧した電圧によりランプ電圧を検
出する。また、本実施形態において、電流検出部は、放電灯９０に直列に接続された第３
の抵抗６３に発生する電圧により駆動電流Ｉを検出する。
【００５１】
イグナイター回路７０は、放電灯９０の点灯開始時にのみ動作する。イグナイター回路
７０は、放電灯９０の点灯開始時に放電灯９０の電極間（第１電極９２と第２電極９３と
の間）を絶縁破壊して放電路を形成するために必要な高電圧（放電灯９０の通常点灯時よ
りも高い電圧）を、放電灯９０の電極間（第１電極９２と第２電極９３との間）に供給す
る。本実施形態においては、イグナイター回路７０は、放電灯９０と並列に接続されてい
る。
【００５２】
制御装置４０は、プロジェクター５００の動作開始から動作停止に至るまでの各種の動
作を制御する。制御装置４０は、駆動電流Ｉの駆動電流波形に従って放電灯駆動部２３０
を制御する。また、制御装置４０は、冷却装置５０を制御する。図４の例では、制御装置
４０は、電力制御回路２０および極性反転回路３０を制御することにより、駆動電流Ｉが
同一極性を継続する保持時間、駆動電流Ｉの電流値、周波数等のパラメーターを制御する
。制御装置４０は、極性反転回路３０に対して、駆動電流Ｉの極性反転タイミングにより
、駆動電流Ｉが同一極性で継続する保持時間、駆動電流Ｉの周波数等を制御する極性反転
制御を行う。制御装置４０は、電力制御回路２０に対して、出力される直流電流Ｉｄの電
流値を制御する電流制御を行う。
【００５３】
制御装置４０の構成は、特に限定されない。本実施形態においては、制御装置４０は、
システムコントローラー４１、電力制御回路コントローラー４２、および極性反転回路コ
ントローラー４３を含んで構成されている。なお、制御装置４０は、その一部または全て
を半導体集積回路で構成してもよい。
【００５４】
システムコントローラー４１は、電力制御回路コントローラー４２および極性反転回路
コントローラー４３を制御することにより、電力制御回路２０および極性反転回路３０を
制御する。システムコントローラー４１は、動作検出部６０が検出したランプ電圧および
駆動電流Ｉに基づき、電力制御回路コントローラー４２および極性反転回路コントローラ
ー４３を制御してもよい。
【００５５】
本実施形態においては、システムコントローラー４１には、記憶部４４が接続されてい
る。
システムコントローラー４１は、記憶部４４に格納された情報に基づき、電力制御回路
２０および極性反転回路３０を制御してもよい。記憶部４４には、例えば、駆動電流Ｉが
同一極性で継続する保持時間、駆動電流Ｉの電流値、周波数、波形、変調パターン等の駆
動パラメーターに関する情報が格納されていてもよい。
【００５６】
電力制御回路コントローラー４２は、システムコントローラー４１からの制御信号に基
づき、電力制御回路２０へ電流制御信号を出力することにより、電力制御回路２０を制御
する。
【００５７】
極性反転回路コントローラー４３は、システムコントローラー４１からの制御信号に基
づき、極性反転回路３０へ極性反転制御信号を出力することにより、極性反転回路３０を
制御する。
【００５８】
制御装置４０は、専用回路を用いて実現され、上述した制御や後述する処理の各種制御
を行うようにすることができる。これに対して、制御装置４０は、例えば、記憶部４４に
記憶された制御プログラムを実行することによりコンピューターとして機能し、これらの
処理の各種制御を行うようにすることもできる。
【００５９】
図５は、制御装置４０の他の構成例について説明するための図である。図５に示すよう
に、制御装置４０は、制御プログラムにより、電力制御回路２０を制御する電流制御手段
４０−１、極性反転回路３０を制御する極性反転制御手段４０−２として機能するように
構成されてもよい。
【００６０】
冷却装置５０は、光源ユニット２１０の放電灯９０を冷却する。冷却装置５０は、例え
ば、ファンにより構成されている。冷却装置５０のファンは、例えば、シロッコファンで
構成されている。冷却装置５０のファンは、プロジェクター５００の筐体内外の空気を吸
引して、冷却空気を光源ユニット２１０に送風する。
【００６１】
図３に示すように、冷却装置５０のファンは、第１冷却ファン５０ａと、第２冷却ファ
ン５０ｂと、を含む。第１冷却ファン５０ａは、放電灯本体５１０の下壁部５１０ａに冷
却空気を送風し、下壁部５１０ａを冷却する。第２冷却ファン５０ｂは、放電灯本体５１
０の上壁部５１０ｂに冷却空気を送風し、上壁部５１０ｂを冷却する。第１冷却ファン５
０ａの出力と第２冷却ファン５０ｂの出力とは、制御装置４０によって、それぞれ独立に
制御される。これにより、冷却装置５０は、下壁部５１０ａと上壁部５１０ｂとを冷却可
能であり、かつ、下壁部５１０ａに対する冷却レベルと、上壁部５１０ｂに対する冷却レ
ベルと、をそれぞれ独立に変更可能である。
【００６２】
以下、プロジェクター５００の回路構成について説明する。
図６は、本実施形態のプロジェクター５００の回路構成の一例を示す図である。プロジ
ェクター５００は、図１に示した構成の他、図６に示すように、画像信号変換部５０１と
、直流電源装置８０と、液晶パネル５６０Ｒ，５６０Ｇ，５６０Ｂと、画像処理装置５７
０と、を備える。
【００６３】
画像信号変換部５０１は、外部から入力された画像信号５０２（輝度−色差信号やアナ
ログＲＧＢ信号など）を所定のワード長のデジタルＲＧＢ信号に変換して画像信号５１２
Ｒ，５１２Ｇ，５１２Ｂを生成し、画像処理装置５７０に供給する。
【００６４】
画像処理装置５７０は、３つの画像信号５１２Ｒ，５１２Ｇ，５１２Ｂに対してそれぞ
れ画像処理を行う。画像処理装置５７０は、液晶パネル５６０Ｒ，５６０Ｇ，５６０Ｂを
それぞれ駆動するための駆動信号５７２Ｒ，５７２Ｇ，５７２Ｂを液晶パネル５６０Ｒ，
５６０Ｇ，５６０Ｂに供給する。
【００６５】
直流電源装置８０は、外部の交流電源６００から供給される交流電圧を一定の直流電圧
に変換する。直流電源装置８０は、トランス（図示しないが、直流電源装置８０に含まれ
る）の２次側にある画像信号変換部５０１、画像処理装置５７０およびトランスの１次側
にある放電灯点灯装置１０に直流電圧を供給する。
【００６６】
放電灯点灯装置１０は、起動時に放電灯９０の電極間に高電圧を発生し、絶縁破壊を生
じさせて放電路を形成する。以後、放電灯点灯装置１０は、放電灯９０が放電を維持する
ための駆動電流Ｉを供給する。
【００６７】
液晶パネル５６０Ｒ，５６０Ｇ，５６０Ｂは、前述した液晶ライトバルブ３３０Ｒ，３
３０Ｇ，３３０Ｂにそれぞれ設けられている。液晶パネル５６０Ｒ，５６０Ｇ，５６０Ｂ
は、それぞれ駆動信号５７２Ｒ，５７２Ｇ，５７２Ｂに基づいて、前述した光学系を介し
て各液晶パネル５６０Ｒ，５６０Ｇ，５６０Ｂに入射される色光の透過率（輝度）を変調
する。
【００６８】
次に、本実施形態の制御装置４０による冷却装置５０の制御について説明する。図７は
、放電灯９０の累積点灯時間Ｔｔに対する第１冷却ファン５０ａに印加される第１ファン
電圧Ｖｆ１の変化を示すグラフである。図７において、縦軸は第１ファン電圧Ｖｆ１を示
しており、横軸は累積点灯時間Ｔｔを示している。なお、本明細書において、累積点灯時
間とは、放電灯が点灯された時間の総計である。なお、図７は、放電灯９０に供給される
駆動電力Ｗｄが一定の場合について示している。すなわち、図７は、所定値の駆動電力Ｗ
ｄが放電灯９０に供給されているときの、放電灯９０の累積点灯時間Ｔｔと、第１冷却フ
ァン５０ａに印加される第１ファン電圧Ｖｆ１との関係を示している。
【００６９】
図７に示すように、制御装置４０は、放電灯９０の累積点灯時間Ｔｔが第１所定時間Ｔ
ｔ１以下の範囲では、第１ファン電圧Ｖｆ１を第１設定値Ｖｆ１ｓとする。第１設定値Ｖ
ｆ１ｓは、放電灯９０に供給される駆動電力Ｗｄに応じて下壁部５１０ａに対して設定さ
れている値である。制御装置４０は、例えば、下壁部５１０ａの温度が所定の温度となる
ように、駆動電力Ｗｄの変化に応じて、第１設定値Ｖｆ１ｓを調整する。具体的には、例
えば、駆動電力Ｗｄが大きくなると下壁部５１０ａの温度が大きくなるため、制御装置４
０は、第１設定値Ｖｆ１ｓを大きくして、下壁部５１０ａに対する冷却レベルを大きくす
る。図７では、駆動電力Ｗｄは一定であるため、第１設定値Ｖｆ１ｓは一定である。第１
設定値Ｖｆ１ｓは、予め設定されていてもよいし、後から設定されてもよい。
【００７０】
なお、本明細書において、ある対象に対する「冷却レベル」とは、ある対象が冷却され
る度合いを示すものであり、例えば、本実施形態のようにファンによって送られる冷却空
気によって、ある対象が冷却される場合、ある対象に送られる冷却空気の時間当たりの風
量、および冷却空気の温度等から総合して決まるものである。本実施形態では、冷却レベ
ルの変化は、ファンによって送られる冷却空気の時間当たりの風量の変化、すなわちファ
ンに印加されるファン電圧の大きさの変化と等価なものとして説明する。すなわち、本実
施形態において、下壁部５１０ａを冷却する第１冷却ファン５０ａの第１ファン電圧Ｖｆ
１は、下壁部５１０ａに対する冷却レベルに相当し、第１ファン電圧Ｖｆ１の第１設定値
Ｖｆ１ｓは、下壁部５１０ａに対して設定される冷却レベルの第１設定値に相当する。
【００７１】
制御装置４０は、放電灯９０の累積点灯時間Ｔｔが第１所定時間Ｔｔ１よりも大きい場
合、第１ファン電圧Ｖｆ１（冷却レベル）を第１設定値Ｖｆ１ｓよりも小さくする。図７
の例では、制御装置４０は、累積点灯時間Ｔｔが第１所定時間Ｔｔ１よりも大きく、第２
所定時間Ｔｔ２以下の場合、第１ファン電圧Ｖｆ１を第１設定値Ｖｆ１ｓよりも小さい値
Ｖｆ１ａとする。制御装置４０は、累積点灯時間Ｔｔが第１所定時間Ｔｔ１より大きい第
２所定時間Ｔｔ２よりも大きい場合、第１ファン電圧Ｖｆ１を０［Ｖ］とする。第１ファ
ン電圧Ｖｆ１が０［Ｖ］の状態とは、第１冷却ファン５０ａの駆動が停止された状態であ
る。すなわち、制御装置４０は、累積点灯時間Ｔｔが第１所定時間Ｔｔ１より大きい第２
所定時間Ｔｔ２よりも大きい場合、下壁部５１０ａに対する冷却を停止する。
【００７２】
このように、制御装置４０は、累積点灯時間Ｔｔが第１所定時間Ｔｔ１よりも大きい場
合、累積点灯時間Ｔｔが大きくなるのに従って、第１ファン電圧Ｖｆ１を小さくする。図
７の例では、制御装置４０は、累積点灯時間Ｔｔが大きくなるのに従って、第１ファン電
圧Ｖｆ１を２段階に分けて小さくする。
【００７３】
本実施形態において、制御装置４０は、累積点灯時間Ｔｔによらず、第２冷却ファン５
０ｂの第２ファン電圧Ｖｆ２を第２設定値Ｖｆ２ｓとする。第２設定値Ｖｆ２ｓは、放電
灯９０に供給される駆動電力Ｗｄに応じて上壁部５１０ｂに対して設定されている値であ
る。制御装置４０は、例えば、上壁部５１０ｂの温度が所定の温度となるように、駆動電
力Ｗｄの変化に応じて、第２設定値Ｖｆ２ｓを調整する。
【００７４】
具体的には、例えば、駆動電力Ｗｄが大きくなると上壁部５１０ｂの温度が大きくなる
ため、制御装置４０は、第２設定値Ｖｆ２ｓを大きくして、上壁部５１０ｂの冷却レベル
を大きくする。駆動電力Ｗｄが変化しない場合、第２設定値Ｖｆ２ｓは一定の値である。
すなわち、駆動電力Ｗｄが変化しない場合、本実施形態において第２ファン電圧Ｖｆ２は
、累積点灯時間Ｔｔによらず、一定である。第２設定値Ｖｆ２ｓは、予め設定されていて
もよいし、後から設定されてもよい。第２設定値Ｖｆ２ｓは、例えば、第１設定値Ｖｆ１
ｓよりも大きい。
【００７５】
なお、上述した制御装置４０の制御は、プロジェクター５００の制御方法としても表現
できる。すなわち、本実施形態のプロジェクター５００の制御方法は、光を射出する放電
灯本体５１０を有する放電灯９０と、放電灯９０を冷却する冷却装置５０と、を備えるプ
ロジェクター５００の制御方法であって、放電灯本体５１０の鉛直方向下側の下部である
下壁部５１０ａを冷却することと、放電灯９０の累積点灯時間Ｔｔが第１所定時間Ｔｔ１
よりも大きい場合、下壁部５１０ａに対する第１ファン電圧Ｖｆ１を、放電灯９０に供給
される駆動電力Ｗｄに応じて下壁部５１０ａに対して設定されている第１設定値Ｖｆ１ｓ
よりも小さくすることと、を含むことを特徴とする。
【００７６】
本実施形態によれば、制御装置４０は、累積点灯時間Ｔｔが第１所定時間Ｔｔ１よりも
大きい場合に、第１ファン電圧Ｖｆ１を第１設定値Ｖｆ１ｓよりも小さくする。これによ
り、黒化が生じることを抑制できる。以下、詳細に説明する。
【００７７】
図８は、活性化したハロゲンガスの量である活性化ハロゲン量Ｌと下壁部５１０ａの温
度Ｈａとの関係を示すグラフである。図８において、縦軸は活性化ハロゲン量Ｌを示して
おり、横軸は下壁部５１０ａの温度Ｈａを示している。図８において一点鎖線で示す曲線
ＬＳは、累積点灯時間Ｔｔが比較的小さい場合（放電灯９０が初期の段階）における活性
化ハロゲン量Ｌの変化を示している。図８において実線で示す曲線ＬＤは、累積点灯時間
Ｔｔが第１所定時間Ｔｔ１よりも大きくなった場合における活性化ハロゲン量Ｌの変化を
示している。
【００７８】
図８に示すように、活性化ハロゲン量Ｌは、下壁部５１０ａの温度Ｈａが変化すること
で変化する。具体的には、活性化ハロゲン量Ｌは、下壁部５１０ａの温度Ｈａが大きくな
るほど、多くなる。なお、下壁部５１０ａと異なり、上壁部５１０ｂの温度を大きくして
も活性化ハロゲン量Ｌは、ほとんど変化しない。これらのことは、本発明者らによって新
たに得られた知見である。
【００７９】
ここで、活性化ハロゲン量Ｌが少なすぎる場合、ハロゲンサイクルにおける蒸発した電
極物質とハロゲンガスとの反応率が低下して、黒化が生じやすくなる。一方、活性化ハロ
ゲン量Ｌが多すぎる場合、第１電極９２および第２電極９３から蒸発した電極物質がすぐ
に活性化したハロゲンと結びついて、対流ＡＦによって放電灯９０内を循環するハロゲン
化された電極物質の流量が多くなる。そのため、ハロゲン化された電極物質が、第１電極
９２のコイル部５３２および第２電極９３のコイル部５４２に衝突して降り積もりやすい
。これにより、降り積もった電極物質によって各コイル部に金属突起が形成され、金属突
起と放電灯本体５１０の内壁面との間に放電が生じて放電灯本体５１０の内壁面が変質す
る場合がある。放電灯本体５１０の内壁面が変質すると、その変質した部分において失透
が生じやすく、また電極物質が付着して黒化が生じやすくなる。加えて、突起５３１ｐ，
５４１ｐの形成に使われる電極物質が減少するため、突起５３１ｐ，５４１ｐが細くなり
やすい。
【００８０】
このような理由から、活性化ハロゲン量Ｌは適切な範囲内となるように調整されること
が好ましい。例えば、図８において、活性化ハロゲン量ＬがＬ１からＬ２の範囲内となる
ように調整されることが好ましい場合、放電灯９０の初期段階（曲線ＬＳ）においては、
下壁部５１０ａの温度Ｈａを、Ｈａ１からＨａ２の範囲内とすればよい。第１ファン電圧
Ｖｆ１の第１設定値Ｖｆ１ｓは、放電灯９０の初期段階において下壁部５１０ａの温度Ｈ
ａがＨａ１からＨａ２の範囲内となるように設定される。
【００８１】
放電灯９０の累積点灯時間Ｔｔが大きくなると、ハロゲンガスは、放電灯９０内の他の
物質（例えば、水銀Ｈｇ）と結びついて、化合物として放電灯９０内に蓄積される。その
ため、ハロゲンガスの量が減少して、活性化ハロゲン量Ｌも減少する。具体的には、例え
ば、図８の曲線ＬＤに示すように、曲線ＬＳに比べて全体的に活性化ハロゲン量Ｌが少な
くなり、下壁部５１０ａの温度Ｈａが大きくなった際の活性化ハロゲン量Ｌの増加量（グ
ラフの傾き）も低下する。そのため、下壁部５１０ａの温度ＨａをＨａ１からＨａ２の範
囲内としている場合、活性化ハロゲン量ＬがＬ１よりも少なくなって、ハロゲンサイクル
における蒸発した電極物質とハロゲンガスとの反応率が低下する。したがって、黒化が生
じやすくなる。
【００８２】
これに対して、本実施形態によれば、制御装置４０は、累積点灯時間Ｔｔが第１所定時
間Ｔｔ１よりも大きい場合に、下壁部５１０ａを冷却する第１冷却ファン５０ａの第１フ
ァン電圧Ｖｆ１を第１設定値Ｖｆ１ｓよりも小さくする。そのため、累積点灯時間Ｔｔが
第１所定時間Ｔｔ１よりも大きい場合に、下壁部５１０ａの温度Ｈａを上昇させることが
できる。これにより、例えば、下壁部５１０ａの温度ＨａがＨａ３からＨａ４の範囲内に
上昇するように第１ファン電圧Ｖｆ１を小さくすることで、累積点灯時間Ｔｔが第１所定
時間Ｔｔ１よりも大きい場合に、活性化ハロゲン量ＬをＬ１からＬ２の範囲内とすること
ができる。したがって、本実施形態によれば、放電灯９０の累積点灯時間Ｔｔが大きくな
った場合であっても、活性化ハロゲン量Ｌを適切に維持することができ、黒化が生じるこ
とを抑制できる。
【００８３】
また、本実施形態によれば、制御装置４０は、累積点灯時間Ｔｔが第１所定時間Ｔｔ１
よりも大きい場合、累積点灯時間Ｔｔが大きくなるのに従って、第１ファン電圧Ｖｆ１を
小さくする。そのため、累積点灯時間Ｔｔがより大きくなって、ハロゲンガスの量がより
少なくなった場合であっても、下壁部５１０ａの温度Ｈａをより上昇させて、活性化ハロ
ゲン量ＬをＬ１からＬ２の範囲内に維持することができる。これにより、黒化が生じるこ
とをより抑制できる。
【００８４】
また、本実施形態によれば、制御装置４０は、累積点灯時間Ｔｔが第２所定時間Ｔｔ２
よりも大きい場合、下壁部５１０ａに対する冷却を停止する。そのため、累積点灯時間Ｔ
ｔがより大きくなって、ハロゲンガスの量がより少なくなった場合に、さらに下壁部５１
０ａの温度Ｈａを上昇させることができる。したがって、黒化が生じることをより抑制で
きる。
【００８５】
また、例えば、下壁部５１０ａと上壁部５１０ｂとを別々に冷却せずに、放電灯９０の
全体を冷却する場合であっても、放電灯９０の全体の冷却レベルを下げれば、下壁部５１
０ａの温度Ｈａを大きくできるため、累積点灯時間Ｔｔが大きくなった場合に上述したよ
うにして黒化を抑制できる。しかし、この場合、下壁部５１０ａの温度Ｈａと共に上壁部
５１０ｂの温度も合わせて大きくなる。そして、上壁部５１０ｂは最熱部であるため、上
壁部５１０ｂの温度が大きくなると過剰に高温となって失透が生じやすくなる場合がある
。
【００８６】
これに対して、本実施形態によれば、第１冷却ファン５０ａと第２冷却ファン５０ｂと
によって、下壁部５１０ａの冷却レベルと上壁部５１０ｂの冷却レベルとをそれぞれ独立
に変更できる。そのため、第２冷却ファン５０ｂの第２ファン電圧Ｖｆ２を変えずに、第
１冷却ファン５０ａの第１ファン電圧Ｖｆ１のみを変えることで、上壁部５１０ｂの温度
を変化させずに、下壁部５１０ａの温度Ｈａを上げることができる。したがって、本実施
形態によれば、黒化が生じることを抑制しつつ、上壁部５１０ｂの温度が過剰に高温とな
ることを抑制して失透が生じることを抑制できる。
【００８７】
また、例えば、下壁部５１０ａの温度Ｈａと上壁部５１０ｂの温度との差がほとんどな
いように冷却装置５０を制御できれば、放電灯９０全体の温度を上昇させることによって
下壁部５１０ａの温度Ｈａを上昇させても、最熱部である上壁部５１０ｂの温度が、最冷
部である下壁部５１０ａの温度Ｈａよりもわずかに高い程度にできる。そのため、上壁部
５１０ｂの温度が過剰に大きくなることを抑制でき、失透が生じることを抑制できる。し
かし、下壁部５１０ａの温度Ｈａと上壁部５１０ｂの温度との差がほとんどないように冷
却装置５０を制御することは困難であり、実現するためには、冷却装置５０の制御が複雑
化する、あるいは冷却装置５０の構成が複雑化する等の問題が生じることが考えられる。
【００８８】
これに対して、本実施形態によれば、下壁部５１０ａの温度Ｈａと上壁部５１０ｂの温
度との差がある程度ある状態であっても、累積点灯時間Ｔｔが大きくなった場合に、黒化
が生じることを抑制しつつ、失透が生じることを抑制できる。そのため、本実施形態によ
れば、冷却装置５０の制御および冷却装置５０の構成を複雑化することなく、黒化および
失透が生じることを抑制でき、簡便である。
【００８９】
また、下壁部５１０ａの温度Ｈａが同じであっても、駆動電力Ｗｄが小さいほど、活性
化ハロゲン量Ｌは少なくなる。そのため、累積点灯時間Ｔｔが大きくなった場合、駆動電
力Ｗｄが比較的小さい低電力モードにおいて、特に、活性化ハロゲン量Ｌが少なくなって
黒化が生じやすい。そのため、上述した黒化が生じることを抑制できる効果は、低電力モ
ードで放電灯９０を駆動する場合に、特に有用である。なお、駆動電力Ｗｄが小さいほど
、活性化ハロゲン量Ｌは少なくなることは、発明者らによって新たに得られた知見である
。
【００９０】
なお、本実施形態においては、以下の構成および方法を採用してもよい。
【００９１】
上記説明においては、冷却装置５０が、下壁部５１０ａを冷却する第１冷却ファン５０
ａと、上壁部５１０ｂを冷却する第２冷却ファン５０ｂと、を有する構成としたが、これ
に限れない。例えば、冷却装置５０は、１つのファンからの冷却空気が、下壁部５１０ａ
と上壁部５１０ｂとに分配されて送られる構成としてもよい。この場合、下壁部５１０ａ
と上壁部５１０ｂとに分配される冷却空気の比率は、変更可能としてもよい。ファンに印
加されるファン電圧を調整してファンの出力を変化させつつ、分配される冷却空気の比率
を調整することで、下壁部５１０ａに送られる冷却空気の風量と、上壁部５１０ｂに送ら
れる冷却空気の風量と、を独立に変更することができる。したがって、下壁部５１０ａに
対する冷却レベルと上壁部５１０ｂに対する冷却レベルとを、それぞれ独立に変更するこ
とが可能である。また、冷却装置５０は、下壁部５１０ａに対する冷却レベルと上壁部５
１０ｂに対する冷却レベルとを独立に変更できない構成であってもよい。
【００９２】
また、下壁部５１０ａに対する冷却レベルを調整する方法は、冷却装置５０の出力を変
えて調整する方法に限られない。例えば、冷却装置５０から送られる冷却空気を部分的に
遮断あるいは向きを変更できる機構を設けて、その機構によって下壁部５１０ａに送られ
る冷却空気の風量を調整して、下壁部５１０ａに対する冷却レベルを調整してもよい。こ
の場合、冷却装置５０の出力を変化させずに、下壁部５１０ａに対する冷却レベルを調整
できる。
【００９３】
また、冷却装置５０は、放電灯９０を冷却できるならば、特に限定されない。冷却装置
５０は、例えば、水冷で放電灯９０を冷却する構成であってもよい。
【００９４】
また、上記説明においては、累積点灯時間Ｔｔが第１所定時間Ｔｔ１よりも大きい場合
、２段階に分けて、第１ファン電圧Ｖｆ１が小さくなる構成としたが、これに限られない
。第１ファン電圧Ｖｆ１は、累積点灯時間Ｔｔが第１所定時間Ｔｔ１よりも大きい場合に
、１段階小さくなるのみであってもよいし、３段階以上に分けて小さくなってもよい。ま
た、第１ファン電圧Ｖｆ１は、累積点灯時間Ｔｔが第１所定時間Ｔｔ１よりも大きい場合
に、累積点灯時間Ｔｔが大きくなるのに従って連続的に小さくなってもよい。この場合、
第１ファン電圧Ｖｆ１の変化は、線形的な変化であってもよいし、曲線的な変化であって
もよい。
【００９５】
また、駆動電力Ｗｄが比較的小さい場合には活性化ハロゲン量Ｌが特に少なくなりやす
いため、駆動電力Ｗｄが小さいほど、第１ファン電圧Ｖｆ１を小さくする幅を大きくして
もよい。この構成によれば、駆動電力Ｗｄが小さいほど、下壁部５１０ａの温度Ｈａを好
適に大きくでき、活性化ハロゲン量Ｌを好適に多くしやすい。
【００９６】
また、上記説明においては、鉛直方向が、第１電極９２および第２電極９３が並ぶ方向
と直交する方向となるように放電灯９０が配置された場合について説明したが、これに限
られない。放電灯９０は、鉛直方向が、第１電極９２および第２電極９３が並ぶ方向と直
交する方向に対して傾いた方向となるように配置されてもよいし、第１電極９２および第
２電極９３が並ぶ方向と平行な方向となるように配置されてもよい。
【００９７】
＜第２実施形態＞
第２実施形態は、第１実施形態に対して、上壁部５１０ｂに対する冷却レベルを変化さ
せる点において異なる。なお、上記実施形態と同様の構成については、適宜同一の符号を
付す等により、説明を省略する場合がある。
【００９８】
図９は、放電灯９０の累積点灯時間Ｔｔに対する第２冷却ファン５０ｂに印加される第
２ファン電圧Ｖｆ２の変化を示すグラフである。図９において、縦軸は第２ファン電圧Ｖ
ｆ２を示しており、横軸は累積点灯時間Ｔｔを示している。なお、図９も図７と同様に、
所定値の駆動電力Ｗｄが放電灯９０に供給されているときの、放電灯９０の累積点灯時間
Ｔｔと、第２冷却ファン５０ｂに印加される第２ファン電圧Ｖｆ２との関係を示している
。
【００９９】
図９に示すように、本実施形態の制御装置４０は、放電灯９０の累積点灯時間Ｔｔが第
１所定時間Ｔｔ１以下の範囲では、第２ファン電圧Ｖｆ２を第２設定値Ｖｆ２ｓとする。
【０１００】
なお、本実施形態において、上壁部５１０ｂを冷却する第２冷却ファン５０ｂの第２フ
ァン電圧Ｖｆ２は、上壁部５１０ｂに対する冷却レベルに相当し、第２ファン電圧Ｖｆ２
の第２設定値Ｖｆ２ｓは、上壁部５１０ｂに対して設定される冷却レベルの第２設定値に
相当する。
【０１０１】
制御装置４０は、放電灯９０の累積点灯時間Ｔｔが第１所定時間Ｔｔ１よりも大きい場
合、第２ファン電圧Ｖｆ２（冷却レベル）を第２設定値Ｖｆ２ｓよりも大きくする。図９
の例では、制御装置４０は、累積点灯時間Ｔｔが第１所定時間Ｔｔ１よりも大きく、第２
所定時間Ｔｔ２以下の場合、第２ファン電圧Ｖｆ２を第２設定値Ｖｆ２ｓよりも大きい値
Ｖｆ２ａとする。制御装置４０は、累積点灯時間Ｔｔが第２所定時間Ｔｔ２よりも大きい
場合、第２ファン電圧Ｖｆ２を値Ｖｆ２ａよりも大きい値Ｖｆ２ｂとする。
【０１０２】
このように、制御装置４０は、累積点灯時間Ｔｔが第１所定時間Ｔｔ１よりも大きい場
合、累積点灯時間Ｔｔが大きくなるのに従って、第２ファン電圧Ｖｆ２を大きくする。図
９の例では、制御装置４０は、累積点灯時間Ｔｔが大きくなるのに従って、第２ファン電
圧Ｖｆ２を２段階に分けて大きくする。
【０１０３】
以上のように、本実施形態において制御装置４０は、第１実施形態で述べた第１冷却フ
ァン５０ａの制御に加えて、第２冷却ファン５０ｂを制御する。このように第１冷却ファ
ン５０ａと第２冷却ファン５０ｂとが制御されることで、累積点灯時間Ｔｔが第１所定時
間Ｔｔ１よりも大きい場合において、上壁部５１０ｂの温度と下壁部５１０ａの温度との
差が所定範囲内に維持される。すなわち、本実施形態において制御装置４０は、累積点灯
時間Ｔｔが第１所定時間Ｔｔ１よりも大きい場合、上壁部５１０ｂの温度と下壁部５１０
ａの温度Ｈａとの差が所定範囲内となるように、冷却装置５０を制御する。所定範囲とは
、例えば、上壁部５１０ｂの温度と下壁部５１０ａの温度Ｈａとの差が、１００℃以内と
なるような範囲である。
【０１０４】
例えば、累積点灯時間Ｔｔが大きくなると、放電灯９０が劣化して、第１電極９２と第
２電極９３との電極間距離が大きくなり、アークＡＲが大きくなる。そのため、放電灯本
体５１０の温度は上昇する。これにより、最熱部となる上壁部５１０ｂの温度が過剰に大
きくなり、失透が生じる場合があった。
【０１０５】
これに対して、本実施形態によれば、制御装置４０は、累積点灯時間Ｔｔが第１所定時
間Ｔｔ１よりも大きい場合、第２ファン電圧Ｖｆ２を第２設定値Ｖｆ２ｓよりも大きくす
る。そのため、累積点灯時間Ｔｔが第１所定時間Ｔｔ１よりも大きい場合に、上壁部５１
０ｂに対する冷却レベルを大きくすることができ、上壁部５１０ｂの温度が過剰に大きく
なることを抑制できる。したがって、本実施形態によれば、第１ファン電圧Ｖｆ１を制御
することによって黒化が生じることを抑制しつつ、第２ファン電圧Ｖｆ２を制御すること
で、失透が生じることを抑制できる。
【０１０６】
また、本実施形態によれば、制御装置４０は、累積点灯時間Ｔｔが第１所定時間Ｔｔ１
よりも大きい場合、累積点灯時間Ｔｔが大きくなるのに従って、第２ファン電圧Ｖｆ２を
大きくする。そのため、累積点灯時間Ｔｔがより大きくなった場合であっても、上壁部５
１０ｂの温度が過剰に大きくなることを好適に抑制できる。これにより、失透が生じるこ
とをより抑制できる。
【０１０７】
また、本実施形態によれば、制御装置４０は、累積点灯時間Ｔｔが第１所定時間Ｔｔ１
よりも大きい場合、上壁部５１０ｂの温度と下壁部５１０ａの温度Ｈａとの差が所定範囲
内となるように、冷却装置５０を制御する。そのため、下壁部５１０ａの温度Ｈａを好適
に大きくしつつ、上壁部５１０ｂの温度を好適に小さくできる。これにより、黒化および
失透が生じることを好適に抑制できる。
【０１０８】
なお、本実施形態においては、以下の構成および方法を採用することもできる。
【０１０９】
上記説明においては、累積点灯時間Ｔｔが第１所定時間Ｔｔ１よりも大きい場合、２段
階に分けて、第２ファン電圧Ｖｆ２が大きくなる構成としたが、これに限られない。第２
ファン電圧Ｖｆ２は、累積点灯時間Ｔｔが第１所定時間Ｔｔ１よりも大きい場合に、１段
階大きくなるのみであってもよいし、３段階以上に分けて大きくなってもよい。また、第
２ファン電圧Ｖｆ２は、累積点灯時間Ｔｔが第１所定時間Ｔｔ１よりも大きい場合に、累
積点灯時間Ｔｔが大きくなるのに従って連続的に大きくなってもよい。この場合、第２フ
ァン電圧Ｖｆ２の変化は、線形的な変化であってもよいし、曲線的な変化であってもよい
。
【０１１０】
また、本実施形態において、第２冷却ファン５０ｂの第２ファン電圧Ｖｆ２が変化する
タイミングを、第１実施形態において第１冷却ファン５０ａの第１ファン電圧Ｖｆ１が変
化するタイミングと同様に、第１所定時間Ｔｔ１および第２所定時間Ｔｔ２としたが、こ
れに限らない。第２冷却ファン５０ｂの第２ファン電圧Ｖｆ２が変化するタイミングは、
第３所定時間および第４所定時間としてもよい。第３所定時間および第４所定時間は、例
えば、第１所定時間Ｔｔ１および第２所定時間Ｔｔ２と異なる。第２冷却ファン５０ｂの
第２ファン電圧Ｖｆ２が変化するタイミングは、第１所定時間Ｔｔ１および第２所定時間
Ｔｔ２のいずれか一方と、第３所定時間および第４所定時間のいずれか一方であってもよ
い。
【０１１１】
なお、上記の各実施形態において、透過型のプロジェクターに本発明を適用した場合の
例について説明したが、本発明は、反射型のプロジェクターにも適用することも可能であ
る。ここで、「透過型」とは、液晶パネル等を含む液晶ライトバルブが光を透過するタイ
プであることを意味する。「反射型」とは、液晶ライトバルブが光を反射するタイプであ
ることを意味する。なお、光変調装置は、液晶パネル等に限られず、例えばマイクロミラ
ーを用いた光変調装置であってもよい。
【０１１２】
また、上記の各実施形態において、３つの液晶パネル５６０Ｒ，５６０Ｇ，５６０Ｂ（
液晶ライトバルブ３３０Ｒ，３３０Ｇ，３３０Ｂ）を用いたプロジェクター５００の例を
挙げたが、本発明は、１つの液晶パネルのみを用いたプロジェクター、４つ以上の液晶パ
ネルを用いたプロジェクターにも適用可能である。
【０１１３】
また、上記説明した各構成は、相互に矛盾しない範囲内において、適宜組み合わせるこ
とができる。
【実施例】
【０１１４】
実施例を、比較例と比較することで本発明の効果を検証した。実施例および比較例の両
方において、放電灯は、定格２００Ｗの高圧水銀ランプとした。実施例および比較例に供
給する駆動電力Ｗｄは、１４０Ｗとした。初期における放電灯の上壁部の温度は９００℃
であり、下壁部の温度は８４０℃であった。
【０１１５】
実施例は、第１実施形態の実施例とした。実施例の第１ファン電圧Ｖｆ１は、累積点灯
時間Ｔｔが２０００ｈ（時間）以下の範囲では、第１設定値Ｖｆ１ｓとした。実施例の第
１ファン電圧Ｖｆ１は、累積点灯時間Ｔｔが２０００ｈ（時間）よりも大きく４０００ｈ
（時間）以下の範囲では、第１設定値Ｖｆ１ｓの５０％の値とした。実施例の第１ファン
電圧Ｖｆ１は、累積点灯時間Ｔｔが４０００ｈ（時間）よりも大きい範囲では、０［Ｖ］
とした。比較例の第１ファン電圧Ｖｆ１は、累積点灯時間Ｔｔによらず、第１設定値Ｖｆ
１ｓで一定とした。
【０１１６】
放電灯を５０００ｈ（時間）点灯させた際における、実施例および比較例の黒化の有無
を観察し、失透面積［ｍｍ２］、および照度維持率［％］を計測した。照度維持率は、初
期のプロジェクターから投射される映像の照度を１００％としたときの、プロジェクター
から投射される映像の照度の比である。結果を表１に示す。
【０１１７】
【表１】
2017187623.tif 000003
【０１１８】
表１に示すように、比較例においては黒化が生じているのに対して、実施例では黒化が
生じていないことが確かめられた。また、比較例の失透面積に対して、実施例の失透面積
が小さいことが確かめられた。黒化が生じた場合、黒化が生じた部分の温度が高温となり
やすく失透が生じやすいため、比較例では失透面積が大きくなったものと思われる。一方
、実施例では、黒化が生じなかったことで、失透も抑制できたものと考えられる。なお、
実施例において、第２実施形態で述べたようにして第２ファン電圧Ｖｆ２も変化させれば
、より失透面積を小さくできたものと考えられる。
【０１１９】
また、比較例では、照度維持率が大きく低下しているのに対して、実施例では、照度維
持率を比較的大きく維持できていることが確かめられた。これは、実施例では黒化が生じ
ず、失透面積も比較例に比べて小さいため、黒化および失透に吸収される光が少なく、ま
た失透によって散乱される光が少ないことで、プロジェクターの光学系にケラレる光が少
なかったためと考えられる。
以上により、本発明の有用性を確認できた。
【符号の説明】
【０１２０】
４０…制御装置（制御部）、５０…冷却装置（冷却部）、９０…放電灯、３３０Ｒ，３
３０Ｇ，３３０Ｂ…液晶ライトバルブ（光変調装置）、３５０…投射光学系（投射光学装
置）、５００…プロジェクター、５１０…放電灯本体（発光部）、５１０ａ…下壁部（下
部）、５１０ｂ…上壁部（上部）、Ｔｔ…累積点灯時間、Ｔｔ１…第１所定時間、Ｔｔ２
…第２所定時間、Ｖｆ１…第１ファン電圧（冷却レベル）、Ｖｆ１ｓ…第１設定値、Ｖｆ
２…第２ファン電圧（冷却レベル）、Ｖｆ２ｓ…第２設定値、Ｗｄ…駆動電力
【図１】
2017187623.tif 000004
【図２】
2017187623.tif 000005
【図３】
2017187623.tif 000006
【図４】
2017187623.tif 000007
【図５】
2017187623.tif 000008
【図６】
2017187623.tif 000009
【図７】
2017187623.tif 000010
【図８】
2017187623.tif 000011
【図９】
2017187623.tif 000012